(57)【要約】  【課題】  使用中のスライダーにおいて引手が破損または交換したいときは、ファスナーチエンに手を加えず、引手のみを取り替えることができるスライダーを提供する。  【解決手段】  胴体２の案内柱１２に貫通する取付孔１３を設け、取付孔１３に挿通する取付柱４は一端に拡径部２０、他端にピン挿通孔２１を設け、引手３は基部に二叉状の取付部２５を設けてピン孔２６をあけ、取付柱４を案内柱１２の底部から挿入してピン孔２６とピン挿通孔２１にピン５を挿通し、ピン５は挿通孔２１に挟持されて引手３を枢設する。引手３が破損しまたは交換を望むときは、ファスナーチエン６を商品に取り付けたまま、ピン５を取付柱４と取付部２５から抜き取って新しい引手３に交換する。【選択図】  図１
2005144000.tif 000002
【特許請求の範囲】
【請求項１】
胴体２の案内柱１２に取付孔１３を上下に貫設し、取付柱４の一端に拡径部２０、他端側にピン挿通孔２１を横設し、引手３の基部に二叉状の取付部２５を設け、該取付部２５にピン孔２６を設け、取付孔１３に取付柱４を底部から挿通し、上面に突出する取付柱４のピン挿通孔２１および引手３のピン孔２６にピン５を挿通して引手３を枢設してなることを特徴とするスライドファスナー用スライダー。
【請求項２】
案内柱１２に貫設された取付孔１３は、下面に拡張部１４を形成してなる請求項１記載のスライドファスナー用スライダー。
【請求項３】
案内柱１２に貫設された取付孔１３は、上面および下面の双方に拡張部１４を形成してなる請求項１記載のスライドファスナー用スライダー。
【請求項４】
取付孔１３における孔縁に表面へ隆起する突条部１５を突設してなる請求項１記載のスライドファスナー用スライダー。
【請求項５】
取付柱４に穿設するピン挿通孔２１は、中央において孔内へ突出する狭窄部２２を形成し、円筒状で軸線方向に割溝３１を設けたピン５を挟持してなる請求項１記載のスライドファスナー用スライダー。
【請求項６】
胴体２の下面は平坦面に形成し、取付柱４の拡径部２０は内面および外表面を平坦面に形成して案内柱１２に密接可能に形成してなる請求項１記載のスライドファスナー用スライダー。
【請求項７】
取付孔１３は截頭円錐形に形成し、取付柱４は円錐台に形成してなる請求項１記載のスライドファスナー用スライダー。
【請求項８】
引手３は二叉状の取付部２５でへの字状に曲折した曲折部２７を設けてなる請求項１記載のスライドファスナー用スライダー。
【請求項９】
スライダー１をファスナーチエン６に衝合状に２個挿通し、引手３の取付部２５を相互に反する形に曲折した曲折部２７を有する引手３先端に設けた透孔２８を重合可能に配置してなる請求項１記載のスライドファスナー用スライダー。
【発明の詳細な説明】
【技術分野】
【０００１】
この発明は、スライドファスナー用スライダーであって、スライダー胴体の上翼板上で引手が揺動および回動することができ、かつ引手を取り替えることができる引手回動タイプのスライドファスナー用スライダーに関するものである。
【背景技術】
【０００２】
従来、スライドファスナー用スライダーにおいて、引手がスライダー胴体の上翼板上で揺動および回動自在に装備したスライダーは、たとえば図１２に示すように、胴体の上翼板から案内柱を貫通し、下翼板に皿状凹部を形成する取付孔を設け、上翼板における取付孔の周囲に大小二段の凹窪部を設け、大凹窪部には円盤の一部、小凹窪部には保持杆の一部が嵌合し、円盤は中央に保持杆用の透孔を設け、保持杆は拡径状の頭部の下面に胴部および脚棒を段差状に形成し、円盤に引手を揺動自在に枢支し、円盤を胴部に遊嵌するとともに、脚棒を取付孔に挿通して先端を皿状凹部に固定し、胴部と脚部先端で胴体を挟持して保持杆を固定した引手が揺動および回動ができる引手回動タイプのスライドファスナー用スライダーが知られている。
【特許文献１】実公平７−４６１６８号公報
【発明の開示】
【発明が解決しようとする課題】
【０００３】
前述の図１２に示したスライドファスナー用スライダーは、スライダーの引手が揺動自在かつ回動自在に取り付けられている引手回動タイプのスライダーである。しかしながらこのスライダーは、引手が損傷したとき、または引手を他の引手に交換したいとき、引手のみを交換することができない。その理由はこのタイプのスライダーは保持杆の脚棒が下端で胴体の下翼板に設けた皿状凹部にかしめ付けられているため、簡単に取り替えることができない。従って引手を交換したいときは、スライダー自体を交換しなければならないが、使用中のファスナーチエンからスライダーを取り外して交換するためには、ファスナーチエンに取り付けられている上止を取り外してスライダーを抜き取り新しいスライダーを挿通した後、ファスナーチエンに上止を取り付けるため、その交換作業が煩雑で面倒である。
【０００４】
この発明は、上述の問題点を考慮して発明されたものであり、請求項１記載の発明は、スライダーに取り付けた引手が揺動可能であり、かつ回動可能な引手回動タイプのスライダーであって、スライドファスナーを製品に取り付けて使用している時、引手が破損したとき、または他の引手に交換したいとき、取り付けられたファスナーチエンに何ら手を加えることなく、引手を簡単に取り替えることができる機構を備えたスライドファスナーのスライダーを提供することが主たる目的である。
【０００５】
請求項２記載の発明は、請求項１記載の発明の目的に加え、引手を取り付ける取付柱を胴体に安定した状態で設置することができ、しかも摺動抵抗の小さいスライドファスナーのスライダーを提供することが目的である。
【０００６】
請求項３記載の発明は、請求項１記載の発明の目的に加え、スライダーに取り付ける引手が胴体の表側であっても裏側であっても、いずれの側においても引手を簡単に取り付けることができるスライドファスナーのスライダーを提供することが目的である。
【０００７】
請求項４記載の発明は、請求項１記載の発明の目的に加え、スライダーに取り付けた引手を揺動かつ回動させるとき、摩擦抵抗が小さく円滑に引手取付柱を中心に揺動かつ回動させることができるスライドファスナーのスライダーを提供することが目的である。
【０００８】
請求項５記載の発明は、請求項１記載の発明の目的に加え、引手取替作業を簡易に行うことができ、しかも引手は取付柱に確実に保持することができ、長期の使用にも耐えられるスライドファスナーのスライダーを提供することが目的である。
【０００９】
請求項６記載の発明は、請求項１記載の発明の目的に加え、胴体に設置する取付孔および取付柱の形態がきわめて簡単で加工および組み付けが簡易に行うことができるスライドファスナーのスライダーを提供することが目的である。
【００１０】
請求項７記載の発明は、請求項１記載の発明の目的に加え、胴体に設置する引手を取り付けるための取付柱を胴体に対し、安定した状態で配置することができ、引手操作も簡便に行うことができるスライドファスナーのスライダーを提供することが目的である。
【００１１】
請求項８記載の発明は、請求項１記載の発明の目的に加え、引手を胴体上へ倒したとき、引手先端が使用製品の表面へ接触させ隙間をなくしたいとき、または使用製品の表面から浮上し隙間を設けて引手の回動操作を容易にしたいときを、それぞれ使い分けることができるスライドファスナーのスライダーを提供することが目的である。
【００１２】
請求項９記載の発明は、請求項１記載の発明の目的に加え、ファスナーチエンに２個のスライダーを突き合わせ状すなわち衝合状に配し、このスライダーをそれぞれの引手を利用して施錠具を用い、確実かつ容易に施錠させることができるスライドファスナーのスライダーを提供することが目的である。
【課題を解決するための手段】
【００１３】
前記の目的を達成するため、この発明のうち請求項１記載の発明は、スライダー１の胴体２における案内柱１２に引手３を取り付けるための取付孔１３を上下に貫通状に設け、この取付孔１３は胴体２の底部において拡張する拡張部１４を設け、取付孔１３に挿通する取付柱４は一端に太く形成した拡径部２０、他端側には引手３を取り付けるためのピンを挿通できるピン挿通孔２１を横方向に設け、引手３は基部が二叉状に分岐して取付柱４に挿入できる取付部２５を設け、この取付部２５にはピン５を挿通できるピン孔２６を設け、胴体２に設けた取付孔１３に取付柱４を底部から挿通し、胴体２の上面に突出する取付柱４のピン挿通孔２１および引手３のピン孔２６にピン５を挿通して引手３を回動自在に設けたスライドファスナー用スライダーを主な構成とするものである。
【００１４】
請求項２記載の発明は、請求項１記載の発明の構成に加え、胴体２の案内柱１２に上下に貫通する取付孔１３は、下面すなわち底部に孔径が拡張する拡張部１４を設けたスライドファスナー用スライダーである。
【００１５】
請求項３記載の発明は、請求項１記載の発明の構成に加え、胴体２の案内柱１２の上下に貫設された取付孔１３は、取付孔１３の上面および下面の双方に孔径が拡張する拡張部１４を設けたスライドファスナー用スライダーである。
【００１６】
請求項４記載の発明は、請求項１記載の発明の構成に加え、胴体２の案内柱１２に貫設された取付孔１３における取付孔１３縁に表面側へ隆起する１条の突条部１５を設けたスライドファスナー用スライダーである。
【００１７】
請求項５記載の発明は、請求項１記載の発明の構成に加え、取付柱４の端部に設けるピンを挿通できるピン挿通孔２１は、挿通孔２１の中央において孔内側へ突出する狭窄部２２を設け、ピン挿通孔２１へ挿入するピン５は、円筒状で軸線方向に割溝３１を設け、このピン５を狭窄部２２によって弾発的に挟持したスライドファスナー用スライダーである。
【００１８】
請求項６記載の発明は、請求項１記載の発明の構成に加え、胴体２の下面すなわち底外面を平坦面に形成し、取付柱４の下端に設ける径を太くした拡径部２０は薄型で内面および外表面を平坦面に形成して取付孔１３に密接できるように形成したスライドファスナー用スライダーである。
【００１９】
請求項７記載の発明は、請求項１記載の発明の構成に加え、胴体２の案内柱１２に貫設する取付孔１３は截頭円錐形を呈し、この取付孔１３に嵌挿する取付柱４は円錐台に形成したスライドファスナー用スライダーである。
【００２０】
請求項８記載の発明は、請求項１記載の発明の構成に加え、取付柱４へ取り付ける引手３は、二叉状に分岐した取付部２５において、側面形状がへの字状に曲折して曲折部２７を形成したスライドファスナー用スライダーである。
【００２１】
請求項９記載の発明は、請求項１記載の発明の構成に加え、ファスナーチエン６に対しスライダー１を突き合わせ状すなわち衝合状に２個挿通し、引手３の取付部２５を互いに反する形に曲折して曲折部２７を形成し、引手３の先端に設けた透孔２８を重合できる形に形成して施錠具３４による施錠ができるように形成したスライドファスナー用スライダーである。
【発明の効果】
【００２２】
この出願の発明の効果として、請求項１記載の発明は、胴体の案内柱に取付孔を上下に貫設し、取付孔は底部に拡張部を設け、取付柱の一端に拡径部、他端側にピン挿通孔を横設し、引手の基部に二叉状の取付部を設け、取付部にピン孔を設け、取付孔に取付柱を底部から挿通し、上面に突出する取付柱のピン挿通孔および引手のピン孔にピンを挿通して引手を枢設したことによって、スライドファスナーを使用製品に取り付けて使用している場合であっても、ファスナーチエンに手を加えずそのままの状態で簡単に引手を取り替え修復することができる機能を有する効果がある。
【００２３】
請求項２記載の発明は、請求項１記載の発明の効果に加え、案内柱に貫設された取付孔は、下面に拡張部を形成したことによって、取付柱を安定した形態に設置し、スライダーの摺動動作を円滑かつ軽快に行うことができる効果がある。
【００２４】
請求項３記載の発明は、請求項１記載の発明の効果に加え、案内柱に貫設された取付孔は、上面および下面の双方に拡張部を形成したことによって、引手を取り付ける取付柱を胴体の表面または裏面のいずれの側へも突出させる状態に簡単にセットすることができ、引手を胴体のいずれの側においても確実に取り付けることができる効果がある。
【００２５】
請求項４記載の発明は、請求項１記載の発明の効果に加え、取付孔における孔縁に表面へ隆起する突条部を突設したことによって、取付柱に取り付けた引手は、突条部により引手の摺接面を小さくして摩擦抵抗を少なくし、引手を円滑に揺動かつ回動させることができる効果がある。
【００２６】
請求項５記載の発明は、請求項１記載の発明の効果に加え、取付柱に穿設するピン挿通孔は、中央において孔内へ突出する狭窄部を形成し、円筒状で軸線方向に割溝を設けたピンを挟持したことによって、取付柱に装着するピンは、的確かつ弾力的に取付柱に支持することができ、引手を安定した状態で可動させることができる効果がある。
【００２７】
請求項６記載の発明は、請求項１記載の発明の効果に加え、胴体の下面は平坦面に形成し、取付柱の拡径部は内面および外表面を平坦面に形成して案内柱に密接可能に形成したことによって、胴体に設ける取付孔および取付孔に挿通する取付柱の構造がきわめて簡単であるため、その加工および組み付けが簡単に行え、しかも製品として一定の品質を確保できる効果がある。
【００２８】
請求項７記載の発明は、請求項１記載の発明の効果に加え、取付柱は截頭円錐形に形成し、取付柱は円錐台に形成したことによって、胴体に対し取付柱をきわめて安定した状態で装備させ、取付柱を円滑に回動させることができる効果がある。
【００２９】
請求項８記載の発明は、請求項１記載の発明の効果に加え、引手は二叉状の取付部でへの字状に曲折して曲折部を形成したことによって、取付柱に取り付けた引手を、使用製品の表面に対し接触させたり、または浮上させて、引手を安定した状態また体裁よく垂下させ、さらに引手の作動操作を円滑に行うことができる効果がある。
【００３０】
請求項９記載の発明は、請求項１記載の発明の効果に加え、スライダーをファスナーチエンに衝合状に２個挿通し、引手の取付部を相互に反する形に曲折して曲折部を形成し、引手先端に設けた透孔を重合可能に配置したことによって、ファスナーチエンに挿通した２個のスライダーの引手を利用して、確実かつ効率よく施錠させることができ、バッグ、ケースなどへ容易に適用できる効果があるなど、この発明が奏する効果はきわめて顕著である。
【発明を実施するための最良の形態】
【００３１】
この発明におけるスライドファスナー用スライダーにおいて、スライダー１は胴体２、引手３、取付柱４、ピン５の四部材から形成され、これらの部材は金属から形成し、胴体２は上翼板１０、下翼板１１を案内柱１２によって連結し、この案内柱１２に上下に貫通する取付柱４を挿通できる取付孔１３を設け、この取付孔１３の上下面に孔径が拡張する拡張部１４を設け、その孔縁に表面へ隆起する突条部１５を設ける。
【００３２】
引手３は取付柱４に取り付ける部分が二叉状に分岐して取付部２５を形成し、この取付部２５にはピン５が挿通できるピン５より太いピン孔２６が穿設されている。そして引手３は取付部２５において側面形状がへの字を呈するように曲折して曲折部２７が形成されている。
【００３３】
取付柱４は円柱状で下端に拡張部１４へ嵌入できる大径の拡径部２０を設け、上端側には引手３を軸支するためのピン挿通孔２１を設け、このピン挿通孔２１は中央で孔内へ突出する狭窄部２２を設けて挿通されるピン５を的確に挟持できるように形成する。ピン５は円管状で軸線方向に波形の割溝３１が刻設されてピン自体に弾力性を具備させる。
【００３４】
スライダー１の組み立ては、胴体２の案内柱１２に貫設した取付孔１３に取付柱４を下側から挿入して拡径部２０と拡張部１４とを嵌合させ、上側に現出したピン挿通孔２１と引手３の取付部２５に設けたピン孔２６とを整合させて、ピン５を圧入して狭窄部２２によって、ピン５を挟持させて組み立てる。引手３を交換するときは、引手３の取付部２５のピン孔２６と取付柱４のピン挿通孔２１に挿通されているピン５を狭窄部２２における挟持力に抗して抜脱させると、引手３を取り外すことができ、新しい引手３を取付柱４に軸着すれば交換できる。
【実施例１】
【００３５】
図１〜５に示す実施例１のスライドファスナー用スライダーについて説明する。スライダー１は図１に示すように、胴体２、引手３、取付柱４、ピン５の四部材から形成され、胴体２、引手３、取付柱４は亜鉛合金、アルミニウム合金などの金属を用いてダイカスト成形手段で成形する。胴体２は上翼板１０と下翼板１１とを案内柱で連結し、上翼板１０の両側にファスナーエレメント７をガイドするフランジ１７を突設して、案内柱１２の両側にファスナーエレメント７をガイドするガイド部１６を形成する。案内柱１２には上下に貫通する円形の一定形状の取付孔１３を設けて、引手３を取り付けるための取付柱４を挿通し、この取付孔１３の上下面には図３に示すように同形で孔径が大きくなる拡張部１４を設け、この拡張部１４の孔縁に表面へ隆起する１条の突条部１５を設けて、図４に示すように引手３の取付部２５における先端と摺接できる形状に形成する。
【００３６】
引手３は、図１に示すように、引手３の一端は取付柱４に取り付けるための二叉状に分岐した取付部２５を設け、この取付部２５には取付柱４へピン５で取り付けるため、ピン５よりも太いピン孔２６が設けられ、またピン孔２６は取付柱４の設けたピン挿通孔２１よりも太く形成する。取付部２５は側面形状がへの字状を呈するように曲折して曲折部２７を形成し、この反対側の長目の摘み部２９には円形の透孔２８を穿設する。
【００３７】
引手３を取り付ける取付柱４は、図１に示すように全体が円柱状で下端に側方へ拡がる円形の拡径部２０を設け、胴体２の拡張部１４へ嵌入できるように形成する。上端側には引手３を軸支するためのピン挿通孔２１を設け、この挿通孔２１の中央において孔内へ突出する狭窄部２２を設けて挿通するピン５を挟持できるように形成する。この狭窄部２２は断面がＵ字状を呈する１条の突条形状であってもよく、また断面が図５に示すようにへの字状を呈する隆起条に形成してもよい。断面形状はどんな形状であってもよく、ピン５を的確に挟持できる形状であればよい。
【００３８】
ピン５は全体がパイプ状で取付柱４に設けたピン挿通孔２１に挿入でき、かつ狭窄部２２で挟持され固定できる形状であればよく、中空状でなくとも中実状であってもよい。最適な形態は、図５に示すようにパイプ状で表面の軸線方向に波形の割溝３１を刻設してピン５自体に弾発性を具備させ、容易に狭窄部２２を通過させた後、弾発力によって狭窄部２２に挟持させて固定する。
【００３９】
スライダー１の組み立ては、胴体２の案内柱１２に貫設した円形の取付孔１３に円形の取付柱４を胴体２の下側から挿入し、拡径部２０と拡張部１４とを嵌合させて取付柱４を回動自在に形成する。そして胴体２の上側に現出したピン挿通孔２１と引手３の取付部２５に設けたピン孔２６とを整合させて、ピン５を圧入することにより、ピン５は直径を縮小しながら狭窄部２２を通過させた後、ピン５の弾発力によって狭窄部２２に挟持し、ピン５自体は取付柱４に固定されるが、引手３は取付部２５の先端が突条部１５と摺接しながら、ピン５を中心に前後に揺動し、かつ取付柱４が胴体２に対し回動自在であるから、引手３を胴体２上で水平に回動させることも自由に行うことができる。
【００４０】
上記の形態のスライダー１をファスナーチエン６に挿通して製品に取り付けて使用しているとき、引手３が破損したり、または引手３を交換したいとき、ファスナーチエン６を製品に取り付けたまま、取付柱４のピン挿通孔２１と引手３の取付部２６のピン孔２６に挿通したピン５を抜脱することにより簡単に取付柱４と引手３とを離脱させ、新しい引手３を取付柱４に組み付けることができる。
【実施例２】
【００４１】
図６に示す実施例２のスライドファスナー用スライダーは、胴体２の下翼板１１にファスナーエレメント７をガイドするフランジ１７を設けた、いわゆるファスナーチエン６の裏使い用のスライダー１として適用したものであり、胴体２の案内柱１２に設けた取付柱４を取り付ける取付孔１３は、表裏同形に形成してあるため、胴体２の上下翼板１０，１１を反対にして取付柱４を取付孔１３に挿通し、取付柱４のピン挿通孔２１と引手３の取付部２５のピン孔２６とを整合させてピン５を圧入し、ピン５を取付柱４に固定したスライダー１であり、使用態様は実施例１と同様である。
【実施例３】
【００４２】
図７に示す実施例３のスライドファスナー用スライダーは、胴体２の案内柱１２に設けた取付柱４を取り付ける取付孔１３の形状を、胴体２の底部が広い截頭円錐形に形成し、上面の取付孔１３の孔縁に表面へ隆起する突条部１５を設ける。この取付孔１３に取り付ける取付柱４は全体が円錐台形状に形成し、胴体２上に現出する頭部に引手３を軸支できるピン挿通孔２１を設ける。引手３は表裏同形の取付部２５から形成した引手３を用いて、取付部２５に設けたピン孔２６と取付柱４のピン挿通孔２１とを整合させてピン５を圧入固定して使用する。このスライダー１は指向性があり、前述のスライダー１とは異なるが使用態様は同じである。
【実施例４】
【００４３】
図８に示す実施例４のスライドファスナー用スライダーは、胴体２の案内柱１２に上下方向へ貫通した取付孔１３は下方の下面に孔径が拡がった拡張部１４を設けたものである。一方引手３を取り付ける取付柱４は上側にピン挿通孔２１を設け、下側に取付柱４の径を太く形成した拡径部２０を設け、この拡径部２０は取付孔１３の拡張部１４へ嵌入して回動自在に形成する。取付柱４の上側のピン挿通孔２１と引手３のピン孔２６とにピン５を挿通して引手３を揺動自在に形成したスライダー１であり、使用態様は実施例１と同様である。
【実施例５】
【００４４】
図９に示す実施例５のスライドファスナー用スライダーは、胴体２の案内柱１２に上下方向へ貫通した取付孔１３は、同径の円筒状で単純な形状であり、従ってこの取付孔１３へ挿通する取付柱４も単純な形成で、円柱状の下端に薄型の円盤状の取付柱４よりも径が太い拡径部２０を一体に形成し、拡径部２０の内面および外表面は平坦面に形成し、胴体２の下面に密接するように形成したスライダー１であり、使用態様は実施例１と同様である。なお取付柱４の柱の部分と拡径部２０とを別体に形成することもできる。例えば取付柱４の下端にめねじを設け、拡径部２０の中心におねじを立設して螺合させて一体化する。
【実施例６】
【００４５】
図１０、１１に示す実施例６のスライドファスナー用スライダーは、実施例１で説明した形態のスライダー１を肩口１８側で突き合わせ状すなわち衝合状にファスナーチエン６に配置したスライドファスナーであり、引手３は長目の摘み部２９から形成し、先端に円形の透孔２８を設けて、この透孔２８に図１１に示すように施錠具３４の錠杆３５を挿通できる形状に形成する。このタイプのスライダー１は引手３の取付部２５における曲折部２７は互いに反対向きに配置するように引手３を回動して調整し、引手３の先端に設けた透孔２８が重合できるように形成し、重合された透孔２８に施錠具３４の錠杆３５を挿通して施錠を行うことができる。引手３が取付部２５の近傍でへの字状に曲折しているので、曲折部２７を互いに反対向きに配置することによって、引手３の摘み部２９が平面的に重合し、施錠が容易にできるスライドファスナーである。
【産業上の利用可能性】
【００４６】
この発明のスライドファスナー用スライダーは、各種のバッグ、ケースなどに用いるスライドファスナーであって、スライダーは引手を簡単に使用中でも交換することができ、かつスライダーを突き合わせ状に２個ファスナーチエンに挿通して施錠具による施錠が簡単にできる施錠タイプのスライダーとして利用することができる。
【図面の簡単な説明】
【００４７】
【図１】実施例１のスライドファスナー用スライダーの分解斜視図である。
【図２】同上スライダーを装備したファスナーチエンの一部カットした斜視図である。
【図３】同上スライダーの断面図である。
【図４】同上スライダーにおける引手起立状態を示す断面図である。
【図５】同上スライダーにおける引手取付状態を示す要部の拡大断面図である。
【図６】実施例２のスライドファスナー用スライダーの断面図である。
【図７】実施例３のスライドファスナー用スライダーの断面図である。
【図８】実施例４のスライドファスナー用スライダーの断面図である。
【図９】実施例５のスライドファスナー用スライダーの断面図である。
【図１０】実施例６に基づく衝合状態のスライダーの斜視図である。
【図１１】同上スライダーの使用態様を示す正面図である。
【図１２】公知のスライドファスナー用スライダーの分解斜視図である。
【符号の説明】
【００４８】
１            スライダー
２            胴体
３            引手
４            取付柱
５            ピン
６            ファスナーチエン
１２            案内柱
１３            取付孔
１４            拡張部
１５            突条部
２０            拡径部
２１            ピン挿通孔
２２            狭窄部
２５            取付部
２６            ピン孔
２７            曲折部
２８            透孔
３１            割溝
【図１】
2005144000.tif 000003
【図２】
2005144000.tif 000004
【図３】
2005144000.tif 000005
【図４】
2005144000.tif 000006
【図５】
2005144000.tif 000007
【図６】
2005144000.tif 000008
【図７】
2005144000.tif 000009
【図８】
2005144000.tif 000010
【図９】
2005144000.tif 000011
【図１０】
2005144000.tif 000012
【図１１】
2005144000.tif 000013
【図１２】
2005144000.tif 000014